(57)【要約】【課題】家庭やオフィスでも机上や卓上に設置して簡易に水耕栽培する。【解決手段】水耕栽培装置は、水耕栽培ユニット２を載置可能としたベース部３と、前記ベース部３から延長されたアーム部４と、前記アーム部４の先端に固定され、前記ベース部３上に載置された水耕栽培ユニット２に対して照明可能な照明部５とを備えている。前記照明部５は、光源として発光ダイオード９を備えている。前記ベース部３は、前記発光ダイオード９に対して給電するための電源部１０を備えると共に、該電源部１０を収納するための電源収納空間７を形成して、該電源収納空間７を防水状態に閉塞している。前記アーム部４は、前記電源部１０と前記発光ダイオード９とを電気的に接続するリード１５を配線している。【選択図】図３
2014000023.tif 000002
【特許請求の範囲】
【請求項１】
水耕栽培ユニット(2)を載置可能としたベース部(3)と、
前記ベース部(3)から延長されたアーム部(4)と、
前記アーム部(4)の先端に固定され、前記ベース部(3)上に載置された水耕栽培ユニット(2)に対して照明可能な照明部(5)と、
を備える水耕栽培装置であって、
前記照明部(5)は、光源として発光ダイオード(9)を備えており、
前記ベース部(3)は、前記発光ダイオード(9)に対して給電するための電源部(10)を備えると共に、該電源部(10)を収納するための電源収納空間(7)を形成して、該電源収納空間(7)を防水状態に閉塞しており、
前記アーム部(4)は、前記電源部(10)と前記発光ダイオード(9)とを電気的に接続するリード(15)を配線してなることを特徴とする水耕栽培装置。
【請求項２】
請求項１に記載の水耕栽培装置であって、
前記ベース部(3)が、上面を開口した有底筒状の筒状容器(6)を備えており、
前記筒状容器(6)の底部に前記電源収納空間(7)を形成して前記電源部(10)を防水構造で収納すると共に、前記筒状容器(6)の上部に前記水耕栽培ユニット(2)を挿入可能な収納凹部(8)を形成してなることを特徴とする水耕栽培装置。
【請求項３】
請求項２に記載の水耕栽培装置であって、
前記ベース部(3)が、前記筒状容器(6)の底部に絶縁材(12)を充填して前記電源収納空間(7)を形成しており、前記絶縁材(12)に前記電源部(10)をインサートして水密に閉塞してなることを特徴とする水耕栽培装置。
【請求項４】
請求項２に記載の水耕栽培装置であって、
前記ベース部(3)が、前記筒状容器(6)の底部に固定される仕切り板(13)でもって前記電源収納空間(7)を防水構造に閉塞してなることを特徴とする水耕栽培装置。
【請求項５】
請求項２から４のいずれか一に記載の水耕栽培装置であって、
前記筒状容器(6)が、上方に向かって外形の大きくなるカップ状に形成されてなることを特徴とする水耕栽培装置。
【請求項６】
請求項１から５のいずれか一に記載の水耕栽培装置であって、
前記照明部(5)が、金属板を凹状に折曲又は湾曲してなる支持プレート(17)を備えており、該支持プレート(17)の凹状の底面に前記発光ダイオード(9)を固定してなることを特徴とする水耕栽培装置。
【請求項７】
請求項１から６のいずれか一に記載の水耕栽培装置であって、
前記アーム部(4)が可動部(4A)を備えており、前記アーム部(4)を前記可動部(4A)で変形させて先端に設けた照明部(5)の位置及び／又は角度を調整できるようにしてなることを特徴とする水耕栽培装置。
【請求項８】
請求項１から７のいずれか一に記載の水耕栽培装置であって、
前記アーム部(4)が、ストロー状に形成されてなることを特徴とする水耕栽培装置。
【請求項９】
請求項１から５のいずれか一に記載の水耕栽培装置であって、
前記アーム部(4)が、湾曲されてなることを特徴とする水耕栽培装置。
【請求項１０】
請求項１から９のいずれか一に記載の水耕栽培装置であって、
前記ベース部(3)が、前記筒状容器(6)の外面に、紙製のカバー(18)を被覆してなることを特徴とする水耕栽培装置。
【請求項１１】
請求項１から１０のいずれか一に記載の水耕栽培装置であって、
前記電源部(10)に、ＡＣアダプタ(31)又はＵＳＢケーブル(32)によって、給電されるよう構成してなることを特徴とする水耕栽培装置。
【請求項１２】
水耕栽培される植物(S)を収納してなる水耕栽培ユニット(2)と、前記水耕栽培ユニット(2)がセットされてこれを保持する水耕栽培装置(1)からなる水耕栽培システムであって、
前記水耕栽培ユニット(2)が、
内部に水を貯留可能な上方開口の本体容器(21)と、
該本体容器(21)の開口部(21A)に着脱自在に連結される蓋体(22)と、
を備え、
前記水耕栽培装置(1)が請求項１から１１のいずれか一に記載の水耕栽培装置であることを特徴とする水耕栽培システム。
【請求項１３】
請求項１２に記載の水耕栽培システムであって、
前記蓋体(22)が、前記本体容器(21)の開口部(21A)を閉塞する内蓋(23)と外蓋(24)とからなり、
前記内蓋(23)が、中央部を前記本体容器(21)の内部に向かって突出させると共に、この中央部を貫通する保水部材(28)を備えており、該保水部材(28)に植物(S)を植え付けすると共に、該保水部材(28)の下部を本体容器(21)の内部に配置しており、
前記外蓋(24)が、外周部を前記本体容器(21)の開口縁部に着脱自在に連結すると共に、中央部を前記本体容器(21)の上方に向かって突出させて、上部に空気穴(24A)を開口してなることを特徴とする水耕栽培システム。
【請求項１４】
請求項１２に記載の水耕栽培システムであって、
前記水耕栽培装置(1)のベース部(3)が、上面を開口した有底筒状の筒状容器(6)を備えており、
前記筒状容器(6)の底部に前記電源収納空間(7)を形成して前記電源部(10)を防水構造で収納すると共に、前記筒状容器(6)の上部に、前記水耕栽培ユニット(2)を挿入可能な収納凹部(8)を形成しており、
さらに、前記水耕栽培ユニット(2)の本体容器(21)が、底部を外形を、前記ベース部(3)の筒状容器(6)の収納凹部(8)の内形に沿う形状としてなることを特徴とする水耕栽培システム。
【発明の詳細な説明】
【技術分野】
【０００１】
本発明は、植物を手軽に水耕栽培できる家庭用の水耕栽培装置及び水耕栽培システムに関し、具体的には、発光ダイオードの照明で植物を育成可能な水耕栽培装置及び水耕栽培システムに関する。
【背景技術】
【０００２】
水耕栽培に発光ダイオード（ＬＥＤ）等の照明を用いる例は多数開発されている。しかしながら、これらは大規模な植物工場用や大型のプランター用のものが多く、家庭用の水耕栽培装置に適用することはできない。（特許文献１及び２参照）
このため、オフィスや家庭において、机上や卓上で水耕栽培を行えるようにした簡素な水耕栽培装置や水耕栽培システムが求められていた。
【先行技術文献】
【特許文献】
【０００３】
【特許文献１】特開２０１１−２０６０３１号公報
【特許文献２】特開２０１１−１８８８４１号公報
【発明の概要】
【発明が解決しようとする課題】
【０００４】
しかしながら、家庭やオフィスなどの屋内では、十分な照度を確保できないことがある。一方で、水耕栽培は水を用いることが必須であるところ、光源を配置しようとすれば、電気配線が必須となり、水耕栽培の水がかかってショートするおそれがあった。
【０００５】
また、水耕栽培装置は、容器に水を蓄える構造となるため、机上等で使用する状態で誤って転倒させると、内部の水が机上に広がって、書類や書籍を濡らし、あるいは電子機器に悪影響を及ぼすおそれがある。
【０００６】
本発明は、従来のこのような問題点に鑑みてなされたものである。本発明の主な目的は、家庭やオフィスでも机上や卓上に設置して簡易に利用可能な水耕栽培装置及び水耕栽培システムを提供することにある。
【課題を解決するための手段及び発明の効果】
【０００７】
本発明の第１の側面に係る水耕栽培装置１によれば、水耕栽培ユニット２を載置可能としたベース部３と、前記ベース部３から延長されたアーム部４と、前記アーム部４の先端に固定され、前記ベース部３上に載置された水耕栽培ユニット２に対して照明可能な照明部５とを備えている。前記照明部５は、光源として発光ダイオード９を備えている。前記ベース部３は、前記発光ダイオード９に対して給電するための電源部１０を備えると共に、該電源部１０を収納するための電源収納空間７を形成して、該電源収納空間７を防水状態に閉塞している。前記アーム部４は、前記電源部１０と前記発光ダイオード９とを電気的に接続するリード１５を配線している。
【０００８】
上記構成により、水耕栽培ユニットが載置されるベース部の防水構造を簡単な構造で実現でき、水耕栽培ユニットを載置して、電源部から照明部に給電する状態においても、防水されていることで安全に利用できる。
【０００９】
本発明の第２の側面に係る水耕栽培装置によれば、前記ベース部３が、上面を開口した有底筒状の筒状容器６を備えて、前記筒状容器６の底部に前記電源収納空間７を形成して前記電源部１０を防水構造で収納すると共に、前記筒状容器６の上部に、前記水耕栽培ユニット２を挿入可能な収納凹部８を形成することができる。
上記構成により、筒状容器の底部に電源部を収納しつつ、その上に水耕栽培ユニットを挿入してこれを安定的に保持でき、さらに防水状態も維持できる。
【００１０】
本発明の第３の側面に係る水耕栽培装置によれば、前記ベース部３が、前記筒状容器６の底部に絶縁材１２を充填して前記電源収納空間７を形成し、前記絶縁材１２に前記電源部１０をインサートして水密に閉塞することができる。
上記構成により、電源部を絶縁材にインサートすることで、簡単かつ確実に電源部の防水構造を実現できる。また、ベース部の底部に絶縁材を充填することで、ベース部の重心を低くして、ベース部及びこのベース部で支持される水耕栽培ユニットが倒れるのを有効に防止できる。
【００１１】
本発明の第４の側面に係る水耕栽培装置によれば、前記ベース部３は、前記筒状容器６の底部に固定される仕切り板１３でもって前記電源収納空間７を防水構造に閉塞することができる。
上記構成により、簡単な構造で、しかも低コストに電源収納空間の防水構造を実現できる。
【００１２】
本発明の第５の側面に係る水耕栽培装置によれば、前記筒状容器６は、上方に向かって外形の大きくなるカップ状に形成することができる。
上記構成により、ベース部の外観を、ドリンク用のカップを模倣した形状として、親近感のある形状を実現できる。また、筒状容器を、上方に向かって外形が大きくなる形状とすることで、上方の開口部を広くして、水耕栽培ユニットを挿入しやすくできる。
【００１３】
本発明の第６の側面に係る水耕栽培装置によれば、前記照明部５は、金属板を凹状に折曲又は湾曲してなる支持プレート１７を備えて、該支持プレート１７の凹状の底面１７Ａに前記発光ダイオード９を固定することができる。
上記構成により、金属板からなる固定プレートによって発光ダイオードの放熱性を高めることができる。また、金属板を凹状に折曲又は湾曲させることで、固定プレートの凹状面でリフレクターを構成し、発光ダイオードから照射される拡散光をリフレクターで反射して集光させ、水耕栽培ユニットに対して効率よく照射できる効果も得られる。さらに、凹状に成形された固定プレートの底面に発光ダイオードを固定することで、発光ダイオードから照射される光が直接にユーザーの目に入るのを有効に防止してユーザーの目を保護できる特徴もある。
【００１４】
本発明の第７の側面に係る水耕栽培装置によれば、前記アーム部４が可動部４Ａを備えて、前記アーム部４を前記可動部４Ａで変形させて先端に設けた照明部５の位置及び／又は角度を調整することができる。
上記構成により、アーム部を可動部で変形させることで、先端に設けた照明部の位置や角度を最適な状態に調整して植物に照射できる。
【００１５】
本発明の第８の側面に係る水耕栽培装置によれば、前記アーム部４は、ストロー状に形成することができる。
上記構成により、カップにストローを刺した状態を模倣した外観とでき、意匠的な面白さを演出できる。
【００１６】
本発明の第９の側面に係る水耕栽培装置によれば、前記アーム部４は、湾曲させることができる
上記構成により、外観をバナナラック状に構成して、意匠的な面白さを演出できる。
【００１７】
本発明の第１０の側面に係る水耕栽培装置によれば、前記ベース部３は、前記筒状容器６の外面に、紙製のカバー１８を被覆して設けることができる。
上記構成により、外観を一層、テイクアウト用のコーヒーカップと近似させることができ、意匠的な面白さを演出できる。
【００１８】
本発明の第１１の側面に係る水耕栽培装置によれば、前記電源部１０は、ＡＣアダプタ３１又はＵＳＢケーブル３２によって給電することができる。
上記構成により、汎用されるＡＣアダプタやＵＳＢケーブルを電源として、便利に給電できる。
【００１９】
本発明の第１２の側面に係る水耕栽培システムは、水耕栽培される植物Ｓを収納してなる水耕栽培ユニット２と、前記水耕栽培ユニット２がセットされてこれを保持する水耕栽培装置１であって、上記のいずれかに記載の水耕栽培装置１とからなる。前記水耕栽培ユニット２は、内部に水を貯留可能な上方開口の本体容器２１と、該本体容器２１の開口部２１Ａに着脱自在に連結される蓋体２２とを備えている。
【００２０】
上記構成により、水耕栽培ユニットの本体容器に水耕栽培用の水を貯留しつつ、その開口部を着脱自在な蓋体で閉塞することで、本体容器の内部に貯留される水がこぼれるのを抑制して安全に使用できる。
【００２１】
本発明の第１３の側面に係る水耕栽培システムによれば、前記蓋体２２が、前記本体容器２１の開口部２１Ａを閉塞する内蓋２３と外蓋２４とからなり、前記内蓋２３が、中央部を前記本体容器２１の内部に向かって突出させると共に、この中央部を貫通する保水部材２８を備えて、該保水部材２８に植物Ｓを植え付けすると共に、該保水部材２８の下部を本体容器２１の内部に配置しており、前記外蓋２４が、外周部を前記本体容器２１の開口縁部に着脱自在に連結すると共に、中央部を前記本体容器２１の上方に向かって突出させて、上部に空気穴２４Ａを開口することができる。
【００２２】
上記構成により、水耕栽培ユニットに収納される植物を、内蓋に設けた保水部材に植え付けて定位置に配置しながら、この保水部材の下部を本体容器の内部に配置することで、本体容器内の水を植物に供給できる。また、外蓋の外周部を本体容器の開口縁部に着脱自在に連結することで、内蓋を本体容器の開口部の定位置に配置しながら、上部に設けた空気穴によって換気できる。また、本体容器を閉塞する蓋体を二重構造とすることで、本体容器の内部に貯留される水が外部にこぼれるのを確実に防止しながら、内部に貯留される水が蒸発するのを抑制できる。
【００２３】
本発明の第１４の側面に係る水耕栽培システムによれば、前記水耕栽培装置１のベース部３が、上面を開口した有底筒状の筒状容器６を備えて、前記筒状容器６の底部に前記電源収納空間７を形成して前記電源部１０を防水構造で収納すると共に、前記筒状容器６の上部に、前記水耕栽培ユニット２を挿入可能な収納凹部８を形成しており、さらに、前記水耕栽培ユニット２の本体容器２１が、底部を外形を、前記ベース部３の筒状容器６の収納凹部８の内形に沿う形状とすることができる。
【００２４】
上記構成により、ベース部の上方に設けた収納部の内部に水耕栽培ユニットの本体容器を挿入する状態で、本体容器を安定的に保持できる。
【図面の簡単な説明】
【００２５】
【図１】本発明の一実施の形態に係る水耕栽培システムを示す斜視図である。
【図２】図１に示す水耕栽培システムの背面斜視図である。
【図３】図１に示す水耕栽培システムの垂直断面図である。
【図４】図１に示す水耕栽培システムの水耕栽培装置と水耕栽培ユニットの分解斜視図である。
【図５】図４に示す水耕栽培装置の分解斜視図である。
【図６】図５に示す水耕栽培装置を背面から見た分解斜視図である。
【図７】図４に示す水耕栽培ユニットの分解斜視図である。
【図８】本発明の他の実施の形態に係る水耕栽培装置の垂直断面図である。
【図９】本発明の他の実施の形態に係る水耕栽培装置の斜視図である。
【図１０】図３に示す水耕栽培装置の照明部を下側から見た分解斜視図である。
【図１１】図３に示す水耕栽培装置の照明部のＸＩ−ＸＩ線断面図である。
【図１２】本発明の他の実施の形態に係る水耕栽培装置の斜視図である。
【発明を実施するための形態】
【００２６】
以下、本発明の実施の形態を図面に基づいて説明する。ただし、以下に示す実施の形態は、本発明の技術思想を具体化するための水耕栽培装置及び水耕栽培システムを例示するものであって、本発明は、水耕栽培装置及び水耕栽培システムを以下のものに特定しない。なお、特許請求の範囲に示される部材を、実施の形態の部材に特定するものでは決してない。特に実施の形態に記載されている構成部材の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。また、一部の実施例、実施形態において説明された内容は、他の実施例、実施形態等に利用可能なものもある。
【００２７】
本発明の一実施の形態に係る水耕栽培装置及び水耕栽培システムを、図１〜図７に基づいて説明する。これらの図において、図１は本発明の一実施の形態に係る水耕栽培システムの斜視図を、図２は図１に示す水耕栽培システムの背面斜視図を、図３は図１に示す水耕栽培システムの垂直断面図を、図４は図１に示す水耕栽培システムの水耕栽培装置と水耕栽培ユニットの分解斜視図を、図５は図４に示す水耕栽培装置の分解斜視図を、図６は図５に示す水耕栽培装置を背面から見た分解斜視図を、図７は図４に示す水耕栽培ユニットの分解斜視図をそれぞれ示している。
【００２８】
これらの図に示す水耕栽培システムは、水耕栽培される植物Ｓを内部に収納してなる水耕栽培ユニット２と、この水耕栽培ユニット２を所定の姿勢で保持して、水耕栽培ユニット２に収納された植物Ｓを栽培する水耕栽培装置１とを備えている。この水耕栽培システムは、オフィスや家庭において、例えば机上や卓上に載置されて、水耕栽培装置１にセットされた水耕栽培ユニット２の植物Ｓを水耕栽培する。
（水耕栽培装置１）
【００２９】
水耕栽培装置１は、水耕栽培ユニット２を載置可能としたベース部３と、このベース部３から延長されたアーム部４と、このアーム部４の先端に固定されて、ベース部３上に載置された水耕栽培ユニット２に対して照明可能な照明部５とを備えている。
（ベース部３）
【００３０】
ベース部３は、水耕栽培ユニット２を定位置に載置して、水耕栽培ユニット２を倒れないように保持する。図３に示すベース部３は、上面を開口した有底筒状の筒状容器６を備えている。筒状容器６は、プラスチック製または金属製で、外周面を円形の筒状に成形すると共に、この筒部６Ａの下端部を底板６Ｂで閉塞して、全体の形状をカップ形状としている。図に示す筒状容器６は、外周面を構成する筒部６Ａを、上方に向かって次第に外形が大きくなるテーパー面としており、全体の外形を逆円錐台形状としている。このように、筒部６Ａの外形を上端開口部に向かって次第に広くする構造は、ここに挿入される水耕栽培ユニット２を挿入しやすくできる。ただ、筒部は、上下方向において外形の等しい円筒状とすることもできる。また、ベース部は、筒状容器の水平断面形状を、必ずしも円形には特定せず、多角形状とすることもできる。このベース部は、全体の外形を逆角錐台形状や角筒状のカップ形状とする。
（電源部１０）
【００３１】
さらに、ベース部３は、外部から入力される電力を照明部５に供給する電源部１０を備えている。電源部１０は、外部から入力される電力を照明部５の光源である発光ダイオード９に供給する最適な電圧と電流に調整して出力する回路である。図３に示す電源部１０は、外部電源３０であるＡＣアダプタ３１から入力される直流電圧（例えば１２Ｖ）を、光源である発光ダイオード９を点灯するのに最適な電圧に調整して出力する。電源部１０は、入力側に、外部電源３０に接続される入力コネクタ１１を接続している。図１に示す入力コネクタ１１は、ＡＣアダプタ３１の出力端子３１Ａを挿入できるピン端子１１Ａとしている。ただ、入力コネクタ１１には、図８や図９で示すように、ＵＳＢコネクタ１１Ｂも使用できる。この電源部１０は、電子機器（図示せず）に接続されるＵＳＢケーブル３２を外部電源３０として、このＵＳＢケーブル３２のＵＳＢ端子３２ＡをＵＳＢコネクタ１１Ｂに接続して給電することができる。この構造は、オフィス等の机上において、パソコン等の電子機器から便利に給電できる。ピン端子１１ＡやＵＳＢコネクタ１１Ｂからなる入力コネクタ１１は、筒状容器６の外周面から外部に表出する状態で、定位置に固定されている。
（電源収納空間７、収納凹部８）
【００３２】
ベース部３は、電源部１０を筒状容器６の底部に配置している。図３に示すベース部３は、電源部１０を収納する電源収納空間７を筒状容器６の底部に形成しており、この電源収納空間７を防水構造で閉塞して、電源部１０を防水している。さらに、ベース部３は、筒状容器６の上部に、水耕栽培ユニット２を挿入可能な収納凹部８を形成している。図に示す筒状容器６は、上方に向かって次第に外形が大きくなるカップ状としているので、この収納凹部８も、上方に向かって次第に内形が大きくなるカップ状に形成されている。さらに、図に示す収納凹部８は、ここに挿入される水耕栽培ユニット２の底部の外形に沿う内形としている。この構造は、ベース部１に設けた収納凹部８に水耕栽培ユニット２を挿入して安定的に保持できる。ただ、収納凹部は、必ずしも水耕栽培ユニットの底部に沿う内形とする必要はなく、水耕栽培ユニットを挿入して保持できる他の形状とすることができる。
【００３３】
図に示す筒状容器６は、底部に絶縁材１２を充填して電源収納空間７を構成している。底部に充填される絶縁材１２は、熱伝導性に優れたシリコーン樹脂等が好適に利用できる。これにより、絶縁を図りつつも電源基板の放熱を効果的に行える利点が得られる。また、プラスチック又はゴム等を利用してもよい。絶縁材１２は、液状又はゲル状の状態で流入した後、硬化させてブロック状とする。図に示すベース部３は、このブロック状の絶縁材１２に電源部１０をインサートしており、硬化する絶縁材１２によって水密に被覆している。この構造は、筒状容器６の底部に電源部１０を収納する状態で、筒状容器６の底部に液状又はゲル状の絶縁材１２を流入し、これを硬化させて電源部１０を水密に閉塞できる。このように、電源部１０を絶縁材１２でモールドすることで電源部１０を確実に絶縁できると共に、絶縁材１２をブロック状に硬化させることで、埋設される電源部１０の移動を抑制して電源部１０への配線の接触不良等を有効に防止できる。
【００３４】
ただ、ベース部３は、必ずしも電源部１０を絶縁材１２にインサートして防水構造とする必要はなく、図８に示すように、筒状容器６の底部を仕切り板１３で閉塞して電源収納空間７を防水構造で閉塞することもできる。図８に示す筒状容器６は、底部に電源部１０を収納した状態で、この電源部１０の上方に配置される仕切り板１３を筒部６Ａの内面に固定して、電源収納空間７を防水構造で閉塞している。図に示すベース部は、仕切り板１３を底板６Ｂと平行な姿勢で筒部６Ａの内面に固定して、この仕切り板１３と底板６Ｂとの間に電源収納空間７を形成している。仕切り板１３は、外周縁を筒状容器６の内周縁に沿って溶着し、または接着材を介して固定して水密構造を実現している。
【００３５】
以上のようにして、筒状容器６の底部に電源部１０を配置する構造は、この電源部１０を構成する電子部品（図示せず）を重りに兼用して、筒状容器６を安定して自立できる。これにより、筒状容器６の上部に水耕栽培ユニット２を挿入する状態においても、水耕栽培ユニット２を安定して起立姿勢に支持できる。とくに、図３に示すベース部３は、筒状容器６の底部に絶縁材１２を充填して防水構造を実現するので、この絶縁材１２も重りに併用できる。
【００３６】
ただ、ベース部３は、図８に示すように、筒状容器６の底部に重り１４を収納することもできる。このような重り１４として、金属プレートや金属ブロックが使用できる。重りとして使用される金属には、好ましくは安価で比重の大きな金属、例えば鉛や鉄が使用できる。図８に示すベース部３は、金属プレート１４Ａからなる重り１４を電源収納空間７の底部に配置している。図に示す金属プレート１４Ａは、筒状容器６の底板６Ｂに沿う板状で、接着して、または係止構造で筒状容器６の底部に固定されている。さらに、金属プレート１４Ａは、上面に基板４１を固定しており、この基板４１に電源部１０を構成する電子部品（図示せず）と入力コネクタ１１とを固定している。このように、金属プレート１４Ａや金属ブロックからなる重り１４は、これに電源部１０を固定することで、電源部１０の移動を抑制して、電源部１０を不動状態で定位置に配置できる。この構造は、電源部１０の移動を抑制することで、電源部１０への配線の接触不良等を有効に防止できる。さらに、金属プレート１４Ａは、ヒートシンクに兼用することができ、放熱性の点でも有利となる。
【００３７】
さらに、図に示すベース部３は、筒状容器６の外面をカバー１８で被覆している。図に示すカバー１８は、カップ状の筒状容器６の外周面に沿う形状であって、側面にアーム部４が配置された筒状容器６を収納できる内形に成形している。図に示すカバー１８は、紙製としている。紙製のカバー１８は、段ボール製とすることができる。カバー１８を段ボール製とするベース部３は、外観をより一層、テイクアウト用のコーヒーカップと近似させることができる。ただ、カバーは、厚紙や色紙で製造することもできる。紙製のカバーは、表面に防水塗料を塗布して防水性を向上できる。さらに、カバーは、プラスチックや不織布、金属で製造することもできる。このように、筒状容器の外面をカバーで外装する構造は、カバーに印刷されるデザインや質感を種々に変更して、美しい外観が実現できる。さらに、図に示すカバー１８は、筒状容器６の底部の外周面から突出する入力コネクタ１１を外部に表出させる切欠部１８Ａを設けている。
（アーム部４）
【００３８】
アーム部４は、ベース部３から上方に延長されており、その先端に照明部５を配置している。図１〜図６に示すアーム部４は、筒状容器６の筒部６Ａの側面に沿って配置されており、下部を筒状容器６の側面に固定して、上端部をベース部３に載置される水耕栽培ユニット２の上方まで延長している。アーム部４は、先端に配置される照明部５を、所定の高さ、すなわちベース部３に配置される水耕栽培ユニット２の上方に配置できる全長としている。このように、水耕栽培ユニット２の上方に配置される照明部５は、水耕栽培ユニット２に収納される植物Ｓに上方から効率よく光を照射できる。
【００３９】
アーム部４は、電源部１０と発光ダイオード９とを電気的に接続するリード１５を配線している。図のアーム部４は、細長い管状のパイプ１６として、内部にリード線１５Ａを挿通している。このように、リード線１５Ａをパイプ１６に挿通する構造は、リード線１５Ａを外部から見えなくして、すっきりとした綺麗な外観にできる。さらに、図に示すアーム部４は、パイプ１６の中間部に蛇腹状の可動部４Ａを設けて、この可動部４Ａにおいて、パイプ１６の先端部を所望の角度に折曲できる構造としている。このアーム部４は、パイプ１６の先端部を折曲することで、先端に設けた照明部５の角度を最適な角度に変更して、理想的な状態で植物Ｓに光を照射できる。このような蛇腹状の可動部４Ａを備えるパイプ１６として、プラスチック製のパイプが使用できる。図に示すアーム部４は、可動部４Ａを備えるパイプ１６として、ストロー状に形成している。このように、パイプ１６をストロー状に成形する構造は、カップにストローを刺したかのような外観を模倣できる。
【００４０】
さらに、アーム部４は、図９に示すように、フレキシブルな構造とすることもできる。このアーム部４は、先端部だけでなく、全体を自由な形状に変形させて、照明部５を、所望の位置に最適な姿勢で配置できる。このようなアーム部４として、可撓性を有する金属線や金属パイプ、プラスチック製のロッドやチューブが使用できる。これらのアーム部４は、好ましくは、変形された形状に保形可能な硬度のものが使用できる。ここで、管状のアーム部に代わって金属線やプラスチック製のロッドからなるアーム部は、その外周にリード線を配線することができる。さらに、フレキシブルなアーム部として、図示しないが、可撓性を有するチューブに、アーム部を保形する芯材として可撓性を有する金属線を挿通したものも使用できる。このアーム部は、簡単な構造でフレキシブルなパイプを実現して内部にリード線を配線できる。このアーム部は、芯材である金属線を自由に変形させて、先端に設けた照明部を所望の位置に最適な姿勢で配置できる。
【００４１】
さらに、アーム部４は、必ずしも全体もしくは部分的に変形できる構造とする必要はなく、全体を変形しない所定の形状に成形することもできる。図８に示すアーム部４は、中間部が外側に膨らむ形状に湾曲しながら上方に延びる湾曲形状としている。この形状のアーム部４は、中間部を外側に湾曲させているので、ベース部３の収納凹部８に水耕栽培ユニット２を楽に挿入できる特徴がある。また、外観をバナナラック状として、意匠的な面白さも演出できる。
（照明部５）
【００４２】
照明部５は、ベース部３にセットされる水耕栽培ユニット２の上方に配置されて、この水耕栽培ユニット２に収納された植物Ｓに光を照射する。図３に示す照明部５は、植物Ｓに光を照射する光源として発光ダイオード９を備えている。図に示す照明部５は、チップタイプの発光ダイオード９を備えている。チップタイプの発光ダイオード９は、基板４２に固定されており、この基板４２にリード線１５Ａを接続して、電源部１０から給電されるようにしている。ただ、発光ダイオードは、砲弾型の集光部を有する発光ダイオードとすることもできる。このように、発光ダイオード９を光源とする照明部５は、消費電力を低減しながら長期間にわたって使用できる特徴がある。
【００４３】
さらに、図１〜図６、及び図１０に示す照明部５は、金属板を凹状に折曲又は湾曲してなる支持プレート１７を備えており、この支持プレート１７の凹状の底面１７Ａに発光ダイオード９を固定している。図３と図１０に示す支持プレート１７は、金属板の外周部を内側に折曲して全体を凹状に成形している。図に示す支持プレート１７は、金属板の両側部と先端部の三方を内側に折曲しており、外周部に３つの反射部１７Ｂを設けて全体を凹状に成形している。この構造の支持プレート１７は、発光ダイオード９から照射される光を反射部１７Ｂの内面で反射させて集光でき、効率よく植物Ｓに照射できる。すなわち、凹状に成形された支持プレート１７でリフレクターを構成して、発光ダイオード９から照射される拡散光をリフレクターで反射して集光できる。さらに、発光ダイオード９を凹部の底面１７Ａに固定することで、発光ダイオード９から照射される光が直接にユーザーの目に入るのを有効に防止してユーザーの目を保護できる特徴もある。図に示す支持プレート１７は、発光ダイオード９が固定された基板４２を底面１７Ａの内面に固定して、発光ダイオード９を支持プレート１７の定位置に固定している。基板４２は、接着材や両面テープで接着して支持プレートに固定され、あるいはネジ止して支持プレートに固定される。
【００４４】
図に示す支持プレート１７は、金属板の両側部と先端部の三方を内側に折曲して反射部１７Ｂを設けているが、支持プレートは、金属板の両側部のみを折曲させて反射部を設けることもできる。また、以上の支持プレート１７は、金属板の両側部や先端部を内側に折曲して全体を凹状に成形するが、支持プレートは、金属板の両側部や先端部を内側に湾曲させて、全体を凹状に成形することも、全体を中央凹に湾曲させることもできる。このように、反射部を湾曲面とする構造は、さらに、効率よく光を集光できる。さらに、照明部５は、図８と図９に示すように、支持プレート１７の内面を、球面状に湾曲された凹状面１７Ｄとすることもできる。図に示す支持プレート１７は、金属板をプレス成形して球面状に成形し、あるいは、プラスチックで球面状に成形することもできる。プラスチックで成形してなる支持プレートは、凹状面１７Ｄに反射材を塗布して光を反射させる反射面とすることができる。
【００４５】
さらに、図１〜図６に示す照明部５は、発光ダイオード９が固定される支持プレート１７を首振りできる構造でアーム部４に連結している。図１０に示す支持プレート１７は、一端に、アーム部４に連結される連結片１７Ｃを突出して設けている。図に示す連結片１７Ｃは、細長い板状で、パイプ１６であるアーム部４の開口端に挿入できる幅に成形している。さらに、連結片１７Ｃは、図１１に示すように、両側縁をパイプ１６の内面に接触する状態で挿入しており、この連結片１７Ｃの両側縁でパイプ１６の内面を押圧する状態で回動できるようにしている。この構造の支持プレートは、図１１に示すように、パイプ１６に挿入される連結片１７Ｃを回転軸として図１１の矢印で示すように回転される。ただ、連結片１７Ｃは、図８に示すように、パイプ１６の内面に沿う筒状とすることもできる。このように、支持プレートをアーム部に対して回動できる照明部は、支持プレートを首振りさせると共に、支持プレートを所望の位置で停止させて、最適な状態で発光ダイオードから光を照射できる。ただ、支持プレートは、必ずしも首振りできる構造でアーム部に連結する必要はなく、アーム部の先端に動かないように固定することもできる。
【００４６】
以上の例では、ベース部３を、上面を開口した有底筒状の筒状容器６で構成し、この筒状容器６の上部に、水耕栽培ユニット２を挿入可能な収納凹部８を設ける例を説明したが、ベース部は、必ずしも水耕栽培ユニットを挿入可能な有底筒状の筒状容器とする必要はない。図１２に示す水耕栽培装置１は、ベース部３を、水耕栽培ユニット２を載置可能な上面プレート４７を有する載せ台４６としている。載せ台４６であるベース部３は、内部に電源部１０を収納するための電源収納空間７を形成して、電源収納空間７を防水状態に閉塞している。載せ台４６は、例えば、ケーシングで構成し、このケーシングに電源部１０を収納して、電源基板をシリコーン樹脂で覆うことにより、防水構造としながら基板の放熱性を高めることができる。ただ、載せ台は、全体をシリコーン樹脂で覆うこともできる。
【００４７】
さらに、図１２に示す水耕栽培装置１は、アーム部４を、中間部が外側に膨らむ形状に湾曲しながら上方に延びる湾曲形状としている。このアーム部４は、同じ形状に湾曲してなる２本の金属ロッド４４を等間隔で並べる姿勢として、下端を載せ台４６に固定している。２本の金属ロッド４４は、その先端部に照明部５を配置している。照明部５は、アーム部４の先端部において、２本の金属ロッド４４に跨がって支持プレート１７を固定すると共に、この支持プレート１７の下面に回路基板４２を固定し、この回路基板４２に光源となる発光ダイオード９を固定している。図に示すアーム部４は、さらに金属ロッド４４の先端を谷形に折曲してフック部４４Ａを設けており、全体の外観をバナナラックの外観に近似させている。さらに、アーム部４は、電源部１０と発光ダイオード９とを電気的に接続するリード１５として、リード線１５Ａを配線している。図のアーム部４は、リード線１５Ａを金属ロッド４４に巻き付ける状態で配線している。
【００４８】
この水耕栽培装置１は、載せ台４６の上面プレート４７の上に水耕栽培ユニット２を載せる状態で配置して植物を水耕栽培する。この水耕栽培装置１も、外観をバナナラック状として、意匠的な面白さを演出できる。また、水耕栽培ユニット２を載せない状態では、バナナラックとしても使用可能である。
【００４９】
さらに、水耕栽培装置は、図示しないが、ベース部を有底の筒状とすることなく、底が開口された筒体やリングとすることもできる。筒体やリングであるベース部は、この内側に水耕栽培ユニットを挿入して定位置に配置する。したがって、本明細書において、ベース部に水耕栽培ユニットを載置するとは、必ずしもベース部の上面に載せて配置する状態には限定せず、筒体やリングの内側に挿入する状態で載せて定位置に配置する状態も含む広い意味で使用する。このような筒体で構成されるベース部は、例えば、筒体の周壁に電源収納空間を形成して、この電源収納空間に電源部を防水状態で配置することができる。
【００５０】
さらに、ベース部は、筒状容器や載せ台、筒体やリング等とは別個に電源部を構成することもできる。この場合も、電源基板をシリコーン樹脂で覆うことにより、基板の放熱性を高めることができる。また、このような電源部を収納する容器の外形を、例えばコーヒーフレッシュの形状を模したり、お手ふきのような筒状とするなど、コーヒーと一緒に置いても違和感のない品物の外観形状に似せることで、さらに意匠的な面白さを演出できる。
【００５１】
以上の水耕栽培装置１は、ベース部３の定位置に水耕栽培ユニット２を配置する状態で、電源部１０から発光ダイオード９に電力を供給して、照明部５の発光ダイオード９を点灯させる。この水耕栽培装置１は、発光ダイオード９を点灯させることで植物Ｓに光を照射できるので、室内等の太陽光が届かない場所においても、植物Ｓに光を供給しながら水耕栽培できる。また、この水耕栽培装置１は、水耕栽培ユニット２を簡単に交換できるので、所望の植物Ｓが収納された水耕栽培ユニット２に交換して、種々の植物の栽培を楽しむことができる。
以下、水耕栽培装置１にセットされる水耕栽培ユニット２について詳述する。
（水耕栽培ユニット２）
【００５２】
水耕栽培ユニット２は、水耕栽培される植物Ｓを収納すると共に、この植物Ｓに供給される水耕栽培用の水を内部に貯留できる構造としている。水耕栽培ユニット２は、内部に水を貯留可能な上方開口の本体容器２１と、この本体容器２１の開口部２１Ａに着脱自在に連結される蓋体２２とを備えている。
（本体容器２１）
【００５３】
本体容器２１は、有底で筒状のカップ状の容器で、全体の形状を円形の筒状としている。この本体容器２１は、耐水性を考慮してプラスチックで製造される。プラスチック製の本体容器２１は、プラスチックシートを真空成形して所定の形状に製造される。この本体容器２１は、安価に多量生産できる特徴がある。ただ、本体容器は、金属製とすることもできる。本体容器２１は、前述のベース部３の筒状容器６の上部に設けた収納凹部８に挿入できる形状に成形している。図に示す本体容器２１は、収納凹部８に挿入される底部の外形を、収納凹部８の内形に沿う外形に成形している。図のベース部３は、筒状容器６の筒部６Ａで形成される収納凹部８の内周面を、上方に向かって内形が大きくなるテーパー状としているので、本体容器２１の外形も、この収納凹部８の内形に沿うように、上方に向かって外形が大きくなるテーパー状に成形している。この構造の本体容器２１は、収納凹部８の開口部からに簡単に挿入しながら、ベース部３の定位置に安定してセットできる特徴がある。ただ、本体容器は、必ずしも収納凹部の内形に沿う外形とする必要はなく、収納凹部に挿入できる種々の外形とすることもできる。
【００５４】
さらに、本体容器２１は、開口部２１Ａの周縁に沿って外側に突出する補強リング２５を設けている。補強リング２５は、プラスチックシートの外周縁部を折り返す状態で積層して補強している。本体容器２１は、この補強リング２５に、蓋体２２が脱着自在に連結される。補強リング２５は、本体容器２１の開口部２１Ａを円形に補強すると共に、蓋体２２を係止して脱着自在に連結する。
【００５５】
プラスチック製の本体容器２１は、好ましくは透明とする。透明の本体容器２１は、内部に貯留された水の量を外部から視認できるからである。とくに、無色透明とする本体容器２１は、貯留された水の量だけでなく、水の色や植物Ｓの根の生育状態も外部から観察できる特徴がある。ただ、透明の本体容器２１は、必ずしも無色とする必要はなく、着色することもできる。着色される本体容器は、その着色部分や色によって、実際にドリンクが収納されたカップを模倣することができる。例えば、本体容器の下から５〜８分目までをオレンジ色に着色することで、オレンジジュースが収納されたカップを模倣することができ、黒色に着色することで、コーラやコーヒーが収納されたカップを模倣することができる。また、本体容器は、外周面に種々のデザインを表示することもできる。このように、外周面を着色し、あるいは種々のデザインを表示してなる本体容器は、内部に貯留される水の色や植物の根を外部から見えないように隠すことができる。
【００５６】
さらに、ドリンクが収納されたカップを模倣する例においては、本体容器を直接着色することなく無色透明としながら、所定の色に着色されたプラスチックシートを本体容器の内面に沿って配置することで、ドリンクが収納されたカップをリアルに再現できる。加えて、クラッシュされた氷を模倣する浮遊部材を水面に浮かべることで、アイスドリンクをよりリアルに再現できる。このような、浮遊部材としてプラスチック製のブロックや発泡体が使用できる。このように、浮遊部材を水面の上部に浮かべる構造は、貯留される水が直接空気に触れる面積を小さくできるので、水面からの蒸発を抑制できる特徴がある。また、このような浮遊部材に植物栽培用の肥料を含有させることもできる。この浮遊部材は、含有する肥料が経時的に溶け出す構造とすることで、水耕栽培される植物に長期間にわたって養分を補給できる。
（蓋体２２）
【００５７】
蓋体２２は、本体容器２１の上方開口部２１Ａに着脱自在に連結されて、本体容器２１の開口部２１Ａを閉塞する。本体容器２１は、内部に水耕栽培用の水を貯留するので、開口部２１Ａを蓋体２２で閉塞することによって、収納された水が不意にこぼれるのを有効に防止できる。このため、蓋体２２も、耐水性を考慮してプラスチックで製造される。図に示す蓋体２２は、本体容器２１の開口部２１Ａを閉塞する内蓋２３と外蓋２４とからなる。これらの内蓋２３と外蓋２４も、プラスチックシートを真空成形して所定の形状に製造される。
（内蓋２３）
【００５８】
内蓋２３は、本体容器２１の開口部２１Ａに配置されて、水耕栽培される植物Ｓを本体容器２１の定位置に配置する。この内蓋２３は、中央部に植物Ｓを固定しており、この植物Ｓに水を供給できるように、植物Ｓの根を本体容器２１の内部に配置できるようにしている。図に示す内蓋２３は、中央部を本体容器２１の内部に向かって突出させており、中央部に配置される植物Ｓの位置を低くしながら本体容器２１の内部に配置できるようにしている。図に示す内蓋２３は、中央部を下方に向かって球面状に窪ませたボウル状としており、この球面状の湾曲面の中央部に植物Ｓを配置している。
【００５９】
さらに、内蓋２３は、本体容器２１の開口部２１Ａに位置決めしながら連結できるように、外周部に沿ってリング状の脱着連結部２６を備えている。図の脱着連結部２６は、開口縁に向かって外形が大きくなるテーパー状に成形されている。この脱着連結部２６は、図３に示すように、本体容器２１の開口部２１Ａの内側に密着して連結される。したがって、本体容器２１も、開口部２１Ａの内側面を、開口縁に向かって内形が大きくなるテーパー状に成形している。脱着連結部２６は、本体容器２１の開口部２１Ａの内側面に広い面積で密着できるように、その外形を本体容器２１の開口部２１Ａの内形に沿う形状に成形している。この内蓋２３は、脱着連結部２６の外周面を本体容器２１の開口部２１Ａの内側面に密着させて、開口部２１Ａの定位置に連結される。図示しないが、内蓋は、脱着連結部を係止構造で本体容器の開口部に連結することもできる。
（保水部材２８）
【００６０】
さらに、図に示す内蓋２３は、本体容器２１の内部に向かって突出する中央部を貫通する保水部材２８を備えており、この保水部材２８を介して植物Ｓを定位置に配置している。保水部材２８は、吸水性と保水性に優れた部材で、好ましくは、これに植物Ｓを植え付けして、根と生育できる材質のものが使用できる。このような保水部材２８として、連続気泡を有するプラスチック発泡体が最適である。図に示す保水部材２８はスポンジで、このスポンジに植物Ｓを植え付けている。ただ、保水部材には、綿や、布、不織布等を使用することもできる。保水部材２８は、内蓋２３の下面から下方に向かって、好ましくは、本体容器に貯留される水耕栽培用の水の水面下まで延びるように、下方に突出する姿勢で配置される。この状態で配置される保水部材２８は、本体容器２１に貯留された水が減少する状態においても、効率よく水を吸い上げできる。さらに、保水部材２８を備える水耕栽培ユニット２は、この保水部材２８に水分を吸収させることで、数日間、水を与えることなく、植え付けられた植物Ｓが枯渇するのを防止できる特徴がある。
【００６１】
以上のように、スポンジからなる保水部材２８は、表面を外側から押圧して細くする状態で内蓋２３に開口された貫通孔２３Ａに挿通し、挿通後は、スポンジの復元力で貫通孔２３Ａの開口縁を押圧して定位置に保持される。ただ、内蓋は、必ずしも保水部材を備える必要はなく、植物を直接に内蓋の貫通孔に挿通して固定することもできる。この構造では、植物の根が本体容器に供給された水の水面下となるように植物を配置する。
（外蓋２４）
【００６２】
外蓋２４は、本体容器２１の上方開口部２１Ａに着脱自在に連結されて、本体容器２１の開口部２１Ａを閉塞する。この外蓋２４は、植物Ｓの生育状態を観察できるように、無色透明のプラスチックで製造される。図に示す外蓋２４は、外周部を本体容器２１の開口部２１Ａに着脱自在に連結すると共に、中央部を本体容器２１の上方に向かって突出させている。図に示す外蓋２４は、中央部が上方に向かって突出するドーム形状としている。ドーム状の外蓋２４は、上端部である中央部に換気用の空気穴２４Ａを開口している。
【００６３】
さらに、外蓋２４は、本体容器２１の開口部２１Ａに脱着自在に連結できるように、外周部に沿って、リング状の脱着係止部２７を備えている。この脱着係止部２７は、本体容器２１の補強リング２５の外側に密着して連結される。図の脱着係止部２７は、補強リング２５の外周面に沿う形状であって、開口端側の内径を補強リング２５の最大外径よりも小さくして、本体容器２１の補強リング２５に脱着自在に連結できるようにしている。さらに、図３に示す脱着係止部２７は、開口端縁を、内径が次第に大きくなるように成形しており、本体容器２１の補強リング２５を案内しやすくして、本体容器２１にスムーズに連結できるようにしている。以上のように係止構造で本体容器２１に連結される外蓋２４は、本体容器２１を確実に閉塞する状態に保持できるので、外蓋２４が不意に外れるのを有効に防止できる。また、係止構造で連結することで簡易的な防止構造を実現して、水を貯留した状態の水耕栽培ユニット２が不意に倒れても、内部の水がこぼれるのを有効に防止できる特徴もある。
【００６４】
以上の蓋体２２は、植物を固定した内蓋２３を本体容器２１の開口部２１Ａの内側に連結する状態で、開口部２１Ａの外側に外蓋２４を連結して、本体容器２１の開口部２１Ａを閉塞する。この蓋体２２は、ボウル状の内蓋２３とドーム状の外蓋２４とで球状の空間を形成して、この空間を植物Ｓの生育空間２９としている。
【産業上の利用可能性】
【００６５】
本発明の水耕栽培装置及び水耕栽培システムは、オフィスや家庭等の室内や屋内において、机上や卓上に省スペースに配置して理想的に水耕栽培できる。とくに、室内や屋内等の太陽光が十分に届かない場所においても、発光ダイオードの光を照射しながら植物を水耕栽培できる。
【符号の説明】
【００６６】
１…水耕栽培装置
２…水耕栽培ユニット
３…ベース部
４…アーム部              ４Ａ…可動部
５…照明部
６…筒状容器              ６Ａ…筒部
６Ｂ…底板
７…電源収納空間
８…収納凹部
９…発光ダイオード
１０…電源部
１１…入力コネクタ      １１Ａ…ピン端子
１１Ｂ…ＵＳＢコネクタ
１２…絶縁材
１３…仕切り板
１４…重り              １４Ａ…金属プレート
１５…リード            １５Ａ…リード線
１６…パイプ
１７…支持プレート      １７Ａ…底面
１７Ｂ…反射部
１７Ｃ…連結片
１７Ｄ…凹状面
１８…カバー            １８Ａ…切欠部
２１…本体容器          ２１Ａ…開口部
２２…蓋体
２３…内蓋              ２３Ａ…貫通孔
２４…外蓋              ２４Ａ…空気穴
２５…補強リング
２６…脱着連結部
２７…脱着係止部
２８…保水部材
２９…生育空間
３０…外部電源
３１…ＡＣアダプタ      ３１Ａ…出力端子
３２…ＵＳＢケーブル    ３２Ａ…ＵＳＢ端子
４１…基板
４２…基板
４４…金属ロッド        ４４Ａ…フック部
４６…載せ台
４７…上面プレート
Ｓ…植物
【図１】
2014000023.tif 000003
【図２】
2014000023.tif 000004
【図３】
2014000023.tif 000005
【図４】
2014000023.tif 000006
【図５】
2014000023.tif 000007
【図６】
2014000023.tif 000008
【図７】
2014000023.tif 000009
【図８】
2014000023.tif 000010
【図９】
2014000023.tif 000011
【図１０】
2014000023.tif 000012
【図１１】
2014000023.tif 000013
【図１２】
2014000023.tif 000014